(57)【要約】【課題】ガス機器のメンテナンスや交換の必要性を利用者に分かり易く表示することができる警報器情報表示装置、警報器情報表示プログラムを提供する。【解決手段】通信アダプタ３経由で換気警報器１２に記憶されている製造番号を読み出し、続いて履歴データおよびリアルタイムデータを読み出した製造番号に関連付けてハードディスク７に記憶する。そしてハードディスク７に記憶した履歴データおよびリアルタイムデータを製造番号ごとに、２４時間の変化を時系列順に並べて別の製造番号の換気警報器１２と比較するように表やグラフで表示する。【選択図】図２
2008276532.tif 000002
【特許請求の範囲】
【請求項１】
警報器に記憶された該警報器を識別するための識別情報を含む警報器情報を取得するために前記警報器と通信を行う通信手段と、
前記通信手段が取得した前記警報器情報を、前記識別情報に関連付けて該警報器情報に含まれる他の情報を記憶する記憶手段と、
前記記憶手段から前記識別情報に対応した前記警報器情報を抽出する抽出手段と、
前記抽出手段が抽出した前記警報器情報を時系列順に表示する表示手段と、
を備えたことを特徴とする警報器情報表示装置。
【請求項２】
前記抽出手段が、前記記憶手段に記憶された複数の前記識別情報にそれぞれ対応した前記警報器情報を互いに比較するように抽出することを特徴とする請求項１に記載の警報器情報表示装置。
【請求項３】
警報器に記憶された該警報器を識別するための識別情報を含む警報器情報を取得するために前記警報器と通信を行う通信手段を備えた警報器情報表示装置のコンピュータを、
前記通信手段が取得した前記警報器情報を、前記識別情報に関連付けて該警報器情報に含まれる他の情報を記憶する記憶手段と、
前記識別情報に対応した前記警報器情報を抽出する抽出手段と、
前記抽出手段が抽出した前記警報器情報を時系列順に表示する表示手段と、
して機能させることを特徴とする警報器情報表示プログラム。
【請求項４】
前記抽出手段が、前記記憶手段が記憶した複数の前記識別情報にそれぞれ対応した前記警報器情報を互いに比較するように抽出することを特徴とする請求項３に記載の警報器情報表示プログラム。
【発明の詳細な説明】
【技術分野】
【０００１】
本発明は、換気警報器などの警報器に記憶されている測定情報や警報の動作情報および警報器内部の電圧などの警報器情報を取得・解析および表示する警報器情報表示装置および警報器情報表示プログラムに関する。
【背景技術】
【０００２】
例えば換気警報器においては、ＣＯ（一酸化炭素）濃度等を定期的に履歴情報として内部に蓄積記憶している。蓄積記憶された履歴情報は、外部機器等で読み込むことにより、メンテナンス不足や寿命によりＣＯを多く発生するガス機器などを発見し、利用者にメンテナンスや交換を促すことが行われている。
【０００３】
また、警報器の履歴情報が読み込まれる外部機器には複数の警報器の履歴情報が収集され記憶されることが多く、各警報器の履歴情報を識別するために警報器の製造番号を履歴情報と一対にして記憶する必要がある。
【０００４】
製造番号を履歴情報と一対にして保存する方法としては、警報器に表示されている製造番号のバーコードをバーコードリーダで読み取り、その後警報器の履歴情報を外部機器で読み取って製造番号と履歴情報とを対応付けて記憶するか、警報器の履歴情報を外部機器で読み取ってから製造番号を手入力するか、特許文献１に記載の警報設備のように、警報器に製造番号を記憶させておき履歴情報とともに製造番号をデータ収集器等で読み取って管理装置に保存していた。
【特許文献１】特開２００５−２０８８８５号公報
【発明の開示】
【発明が解決しようとする課題】
【０００５】
しかしながら、ガス機器のメンテナンスや交換を促す際には、上述した方法で収集した履歴情報などのデータを基に、予め定めた警報レベルや電圧などと比較して点検作業者などが口頭で説明することが多く、該当するガス機器のメンテナンスや交換の必要があっても利用者に分かり易く説明することが困難になることがあった。
【０００６】
そこで、本発明は、上記のような問題点に着目し、ガス機器のメンテナンスや交換の必要性を利用者に分かり易く表示することができる警報器情報表示装置および警報器情報表示プログラムを提供することを課題とする。
【課題を解決するための手段】
【０００７】
上記課題を解決するためになされた請求項１に記載の発明は、警報器に記憶された該警報器を識別するための識別情報を含む警報器情報を取得するために前記警報器と通信を行う通信手段と、前記通信手段が取得した前記警報器情報を、前記識別情報に関連付けて該警報器情報に含まれる他の情報を記憶する記憶手段と、前記記憶手段から前記識別情報に対応した前記警報器情報を抽出する抽出手段と、前記抽出手段が抽出した前記警報器情報を時系列順に表示する表示手段と、を備えたことを特徴としている。
【０００８】
請求項２に記載の発明は、前記抽出手段が、前記記憶手段に記憶された複数の前記識別情報にそれぞれ対応した前記警報器情報を互いに比較するように抽出することを特徴としている。
【０００９】
請求項３に記載の発明は、警報器に記憶された該警報器を識別するための識別情報を含む警報器情報を取得するために前記警報器と通信を行う通信手段を備えた警報器情報表示装置のコンピュータを、前記通信手段が取得した前記警報器情報を、前記識別情報に関連付けて該警報器情報に含まれる他の情報を記憶する記憶手段と、前記識別情報に対応した前記警報器情報を抽出する抽出手段と、前記抽出手段が抽出した前記警報器情報を時系列順に表示する表示手段と、して機能させることを特徴としている。
【００１０】
請求項４に記載の発明は、前記抽出手段が、前記記憶手段が記憶した複数の前記識別情報にそれぞれ対応した前記警報器情報を互いに比較するように抽出することを特徴としている。
【発明の効果】
【００１１】
以上説明したように請求項１記載の発明によれば、識別情報が含まれた警報器情報を通信手段で取得して警報器情報に含まれる識別情報以外の他の情報をその識別情報に関連付けて記憶手段に記憶し、記憶手段から識別情報に対応した警報器情報を抽出手段で抽出して表示手段が時系列に表示しているので、警報器情報を別途取得する必要がなく、警報器から取得した警報器情報を、個々の識別情報に対応してその場で警報器が測定した情報や警報器自体の経年変化など時系列の変化を分かり易い形式で表示させることができ、利用者にガス機器等のメンテナンスや交換の必要性を容易に説明することができる。
【００１２】
請求項２に記載の発明によれば、抽出手段が複数の警報器間で比較するように警報器情報を抽出するので、他の警報器と比較した状態で測定情報などを表示することができる。
【００１３】
請求項３に記載の発明によれば、通信手段が取得した識別情報が含まれた警報器情報の識別情報以外の他の情報をその識別情報に関連付けて記憶手段に記憶し、記憶手段から識別情報に対応した警報器情報を抽出手段で抽出して表示手段が時系列に表示しているので、警報器情報を別途取得する必要がなく、警報器から取得した警報器情報を、個々の識別情報に対応してその場で警報器が測定した情報や警報器自体の経年変化など時系列の変化を分かり易い形式で表示させることができ、利用者にガス機器等のメンテナンスや交換の必要性を容易に説明することができる。
【００１４】
請求項４に記載の発明によれば、抽出手段が複数の警報器間で比較するように警報器情報を抽出するので、他の警報器と比較した状態で測定情報などを表示することができる。
【発明を実施するための最良の形態】
【００１５】
以下、本発明の一実施の形態を図面に基づいて説明する。図１は本発明の一実施形態にかかる警報器情報表示装置１および警報器としての換気警報器１２を示すブロック図である。
【００１６】
本発明の一実施形態にかかる警報器情報表示装置１は図１に示すようにＰＣ２と、通信アダプタ３とを備えている。
【００１７】
ＰＣ２は、ＣＰＵ４と、ＲＡＭ５と、ＲＯＭ６と、ハードディスク７と、キーボード８と、マウス９と、外部インタフェース１０と、モニタ１１と、を備えたパーソナルコンピュータである。なお、ＰＣ２は持ち運びが容易なノート型のパーソナルコンピュータを用いてもよい。その場合はマウス９に代えて平らな面を指でなぞることで位置や動きを入力するタッチパッドを備えてもよい。
【００１８】
抽出手段としてのＣＰＵ４は、予め定めたプログラムに従って各種の処理や制御などを行う中央演算処理装置であり、後述するハードディスク７に格納した各種処理プログラムやデータなどを読み出して実行する。
【００１９】
ＲＡＭ５は、読み出し書き込み自在のメモリであり、ＣＰＵ４が実行する処理作業に必要なエリアを有し、必要に応じてＣＰＵ４が読み書きする。
【００２０】
ＲＯＭ６は、ＰＣ２の起動のためのプログラムなどが記憶されており、ＰＣ２の起動時にＣＰＵ４によって読み出され実行される。
【００２１】
記憶手段としてのハードディスク７は、磁性体を塗布または蒸着した金属のディスクをモータで高速に回転させて磁気ヘッドを近づけてデータを読み出し書き込み自在に行う記憶装置であり、ＣＰＵ４が処理するためのプログラムやデータなどを記憶している。なお、ハードディスク７に代えて不揮発性の半導体メモリを用いた記憶装置を用いてもよい。
【００２２】
キーボード８は、ＰＣ２に文字を入力するための装置であり、複数のキーから構成されている。なお、キーボード８の代わりにタッチパネルなどを用いてもよい。
【００２３】
マウス９は、１または複数のボタンと、移動方向、移動速度などの検出器を備えた入力装置であり、机上などで移動させることにより検出器から移動方向、移動速度などの情報がＣＰＵ４に入力される。マウス９を動かすと、モニタ１１の画面上にはマウス９の動きに合わせて移動する小さなキャラクタ（カーソル）が表示され、これを操ることによってＰＣ２の操作を行う。
【００２４】
外部インタフェース１０は、後述する通信アダプタ３をＰＣ２に接続するためのインタフェースであり、例えばＵＳＢ（Universal Serial Bus）などのインタフェースが用いられる。
【００２５】
表示手段としてのモニタ１１は、液晶ディスプレイ（ＬＣＤ）等が用いられ、上述したカーソルやキーボード８から入力された文字およびＣＰＵ４において処理を行った結果などが表示される。
【００２６】
通信手段としての通信アダプタ３は、ＰＣ２に接続されて後述する換気警報器１２と通信を行うための装置であり、換気警報器１２から入力されたデータを外部インタフェース１０に出力し、外部インタフェース１０から入力されたデータを換気警報器１２へ出力する。通信アダプタ３は、例えば、赤外線や電波による無線によって換気警報器１２と通信を行う。
【００２７】
本発明の一実施形態にかかる警報器としての換気警報器１２は、ＭＰＵ１３と、ガスセンサ１４と、点検スイッチ１５、ＥＥＰＲＯＭ１６と、通信部１７と、を備えている。換気警報器１２は、例えば店舗の厨房などに設置され、ガス機器の不完全燃焼や換気設備の不具合等によるＣＯ濃度の増加を警告する。
【００２８】
ＭＰＵ１３は、周知のように、予め定められたプログラムにしたがって各種の処理や制御を行うＣＰＵ（中央演算処理装置）と、ＣＰＵのためのプログラム等を格納した読み出し専用のメモリであるＲＯＭと、各種のデータを格納する記憶領域とＣＰＵの処理作業に必要なワークエリアを有する読み出し書き込み自在のメモリであるＲＡＭ等を有して構成されている。
【００２９】
ガスセンサ１４は、ＣＯの酸化反応によりＣＯ濃度に応じた電流が流れる電気化学式センサを用いており、ＣＯ濃度に応じた電流を電圧に変換してＭＰＵ１３に出力している。
【００３０】
点検スイッチ１５は、点検作業者によって点検時に操作されるスイッチであり、操作信号をＭＰＵ１３に出力する。
【００３１】
ＥＥＰＲＯＭ１６は不揮発性メモリであり、ＭＰＵ１３に接続されている。ＥＥＰＲＯＭ１６には、警報器情報が記憶されており、識別情報としての製品番号と、他の情報としての換気警報器１２の履歴データが記憶されている。ＥＥＰＲＯＭ１６に記憶されている履歴データは、例えば、ガスセンサ電圧、ＣＯ濃度、周囲温度、電池電圧、警報時濃度、警報発生時間、ガスセンサ故障発生時間、電池電圧低下発生時間およびガスセンサ駆動回路駆動回数等である。また、これらのデータのうちＣＯ濃度などの測定データに関しては所定の時間間隔で測定したデータが、警報や故障などのイベントにかかわるデータはそのイベント発生時点のデータがそれぞれ記憶されている。
【００３２】
通信部１７は、換気警報器１２が警報器情報表示装置１と通信を行うための装置であり、警報器情報表示装置１から入力されたデータをＭＰＵ１３に出力し、ＭＰＵ１３から入力されたデータを警報器情報表示装置１へ出力する。通信部１７は、赤外線や電波による無線によって警報器情報表示装置１と通信を行う。
【００３３】
次に、上述した構成の警報器情報表示装置１の動作を図２に示したフローチャートを参照して説明する。図２のフローチャートはＰＣ２のハードディスク７にコンピュータプログラムとして予め記憶され、ＣＰＵ４において実行される。
【００３４】
まず、ステップＳ１において、警報器情報表示装置１が初期設定済みであるか否かを判断して初期設定済みである場合（Ｙの場合）はステップＳ３に進み、そうでない場合（Ｎの場合）はステップＳ２に進む。
【００３５】
次に、ステップＳ２において、警報器情報表示装置１の初期設定を行いステップＳ３に進む。初期設定の内容としては、例えば、通信アダプタ３が接続されている外部インタフェース１０の自動選択や通信アダプタ３とＰＣ２が通信を行えるようにするドライバなどの設定等である。
【００３６】
次に、ステップＳ３において、換気警報器１２の製造番号を取得するために換気警報器１２に対して製造番号要求を行ってステップＳ４に進む。製造番号要求が行われると、ＣＰＵ４から外部インタフェース１０経由で通信アダプタ３に対して製造番号要求を意味するコマンド等が出力され、通信アダプタ３で所定の無線方式に変調され換気警報器１２へ出力される。
【００３７】
次に、ステップＳ４において、換気警報器１２から製造番号要求の応答として製造番号が送信されてきたか否かを判断し、送信されてきた場合（Ｙの場合）はステップＳ５に進み、そうでない場合（Ｎの場合）は本ステップで待機する。
【００３８】
次に、ステップＳ５において、換気警報器１２に記憶されている履歴データやその時点でリアルタイムに測定したリアルタイムデータを取得するために換気警報器１２に対して履歴データやリアルタイムデータ要求を行ってステップＳ６に進む。リアルタイムデータとしては、例えば、ガスセンサ電圧、ＣＯ濃度、周囲温度および電池電圧等である。履歴データやリアルタイムデータ要求が行われると、ＣＰＵ４から外部インタフェース１０経由で通信アダプタ３に対して履歴データやリアルタイムデータ要求を意味するコマンド等が出力され、通信アダプタ３で所定の無線方式に変調され換気警報器１２へ出力される。この際にリアルタイムデータの取得間隔や取得回数を予め設定し、その間隔や回数に基づいて所定のコマンド等を出力するようにしてもよい。
【００３９】
次に、ステップＳ６において、換気警報器１２から履歴データやリアルタイムデータ要求の応答として履歴データやリアルタイムデータが送信されてきたか否かを判断し、送信されてきた場合（Ｙの場合）はステップＳ７に進み、そうでない場合（Ｎの場合）は本ステップで待機する。
【００４０】
次に、記憶手段としてのステップＳ７において、ステップＳ６で取得した履歴データやリアルタイムデータを、ステップＳ４で取得した製造番号と関連付けてハードディスク７に記憶する。
【００４１】
次に、抽出手段としてのステップＳ８において、ステップＳ７にハードディスク７に記憶したデータのうち取得した製造番号に対応するデータを抽出してステップＳ９に進む。具体的には、例えば、ステップＳ６で取得した製造番号の換気警報器１２と他の製造番号（他店舗に設置）の換気警報器１２の履歴データやリアルタイムデータを比較するように各項目ごとに抽出する。また、ステップＳ６で取得したリアルタイムデータを測定順に次のステップに出力することも含む。
【００４２】
次に、表示手段としてのステップＳ９において、ステップＳ８で抽出されたデータを時系列順に表形式にまとめてモニタ１１に出力する。例えば、図３に一部を示すようにデータを取得した製造番号の換気警報器１２と他の製造番号（他店舗に設置）の換気警報器１２の履歴データやリアルタイムデータを比較するように表形式でモニタ１１に出力する。なお、リアルタイムデータを表形式にまとめる際には、１回の測定時間を１列として複数回測定した場合には順に列を追加して表を構成したり、リアルタイムデータを表示する列を１列としてその列に測定するたびにデータを上書きするように表を構成したりしてもよい。
【００４３】
また、表ではなく図４に示すようにグラフ形式で表示してもよい。図４はデータを取得した換気警報器１２（実線）と、他の製造番号（他店舗に設置）の換気警報器１２（点線）とのＣＯ濃度の変化を２４時間の時系列順に１つのグラフに重ねて表したものである。すなわち、複数の識別情報にそれぞれ対応した警報器情報を互いに比較するように表示手段に表示させている。
【００４４】
グラフ形式の場合、データ解析のステップでデータを取得した換気警報器１２と、他の製造番号の換気警報器１２のＣＯ濃度のデータを抽出し、モニタ１１表示するステップで図４のようにグラフで他の製造番号の換気警報器１２と比較して表示することで、データを取得した厨房の環境と他店舗の厨房の環境とを間接的に比較することができる。例えば図４の場合、他店舗よりもＣＯ濃度が高く危険に近い状態にあることや、特に昼ごろはＣＯ濃度が高いので換気を必ず行うようになどというアドバイスを利用者に対して行うことができる。なお、上述したステップＳ８のような表を構成した後に必要なデータを抽出してグラフ化してもよい。
【００４５】
また、図５に示すようにデータを取得した換気警報器１２の例えば１年前、６ヶ月前、３ヶ月前、現在のＣＯ濃度の２４時間の変化のグラフを重ねて表示してもよい。
【００４６】
図５のように、一つの換気警報器１２の２４時間の時系列順のデータをさらに１年前、６ヶ月前、３ヶ月前、現在という時系列順に重ねて表示することで、ガス機器や換気設備などの劣化の状態が分かり易くなる。例えば図５の場合は、３ヶ月前から急にＣＯが多くなっているためガス機器や換気設備の点検を勧めるなどというアドバイスを利用者に対して行うことができる。
【００４７】
また、図６に示すように換気警報器１２の電池電圧を他の製造番号（他店舗に設置）の換気警報器１２と比較するために重ねて表示してもよい。電池電圧は温度に依存するので換気警報器１２内部に設置されたサーミスタのデータも警報器情報として取得しておき、解析時にはサーミスタデータによる温度補正を行ってもよい。
【００４８】
図６のように、電池電圧を重ねて表示することで、他の店舗に比べて電池の消耗が激しいことや電池の交換時期等を利用者にアドバイスすることができる。また、警報の発生履歴と合わせて表示させることで警報が頻発することによる電池電圧の低下であるかどうかも分析できる。
【００４９】
なお、上述した表形式で表した情報は、図３に記載されているものに限らず、また図４乃至図６に記載したグラフ形式で表した情報もＣＯ濃度や電池電圧に限らず換気警報器１２から取得した警報器情報であればよい。
【００５０】
以上の警報器情報表示装置１によれば、通信アダプタ３経由で換気警報器１２に記憶されている製造番号を読み出し、続いて履歴データおよびリアルタイムデータを読み出した製造番号に関連付けてハードディスク７に記憶する。そしてハードディスク７に記憶した履歴データおよびリアルタイムデータを製造番号ごとに、２４時間の変化を時系列順に並べて別の製造番号の換気警報器１２と比較するように表やグラフで表示することで、利用者に対して換気警報器１２の状態やガス機器や換気設備の状態を分かり易く表示できるので、ガス機器などのメンテナンスや交換を促すことができる。
【００５１】
また、製造番号を警報器情報に含めて取得するので別途バーコードリーダなどを使用する必要がなく換気警報器毎のデータの管理が容易になる。
【００５２】
なお、換気警報器１２と警報器情報表示装置１とは有線で接続してもよい。また、通信アダプタ３は、ＰＣ２と別体に設けずにＰＣ２に含めてもよい。すなわち、赤外線ポートや無線通信用のボードなどを一体に設けてもよい。
【００５３】
また、製造番号と履歴データやリアルタイムデータは別のステップで取得せずに一つのステップで警報器情報として一括で取得してもよい。
【００５４】
また、グラフ表示の際にはデータを表す線が複数ある場合はそれぞれ色を変えて表示してもよい。色を変えることでグラフをより見易くすることができる。
【００５５】
なお、本発明は上記実施形態に限定されるものではない。即ち、本発明の骨子を逸脱しない範囲で種々変形して実施することができる。
【図面の簡単な説明】
【００５６】
【図１】本発明の一実施形態にかかる警報器情報表示装置および換気警報器を示すブロック図である。
【図２】図１に示された警報器情報表示装置の動作を示したフローチャートである。
【図３】データを取得した換気警報器と他の換気警報器それぞれの警報器情報の一部を表形式で表示した例である。
【図４】データを取得した換気警報器と他の換気警報器ぞれぞれのＣＯ濃度をグラフ形式で表示した例である。
【図５】データを取得した換気警報器のＣＯ濃度を時系列に表示した例である。
【図６】データを取得した換気警報器と他の換気警報器ぞれぞれの電池電圧をグラフ形式で表示した例である。
【符号の説明】
【００５７】
１            警報器情報表示装置
２            ＰＣ
３            通信アダプタ（通信手段）
４            ＣＰＵ（抽出手段）
７            ハードディスク（記憶手段）
１１          モニタ（表示手段）
１２          換気警報器（警報器）
Ｓ７          ハードディスクへ記憶（記憶手段）
Ｓ８          データ解析（抽出手段）
Ｓ９          警報器情報表示（表示手段）
【図１】
2008276532.tif 000003
【図２】
2008276532.tif 000004
【図３】
2008276532.tif 000005
【図４】
2008276532.tif 000006
【図５】
2008276532.tif 000007
【図６】
2008276532.tif 000008